【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
本体と、
個人による目的の皮膚部位の配置のために適合されたプラテンであって、該本体内に統合されている、プラテンと、
光源と、
画像化システムと、
該光源および該画像化システムとインターフェースするコントローラと
を備えており、該コントローラは、
単一の照明セッションの間に、複数の異なる光学的条件のもとで、該目的の皮膚部位を照明させる命令と、
該複数の異なる光学的条件の各々に対し、該目的の皮膚部位から散乱された後に、該画像化システムによって受信された光から、該目的の皮膚部位の多スペクトル画像を導出させる命令と、
該画像化システムを用いて非バイオメトリック機能を実行させる命令と
を含んでいる、携帯型電子デバイス。
【請求項２】
前記光源は、白色光源を含んでいる、請求項１に記載の携帯型電子デバイス。
【請求項３】
前記目的の皮膚部位の多スペクトル画像を導出させる前記命令は、該皮膚部位が前記プラテン上を移動したときに、該皮膚部位の異なる部分の複数の画像を導出させる命令を含んでいる、請求項１に記載の携帯型電子デバイス。
【請求項４】
前記多スペクトル画像を導出させる前記命令は、前記皮膚部位の異なる部分の複数の画像の合成を生成させる命令をさらに含んでいる、請求項３に記載の携帯型電子デバイス。
【請求項５】
前記プラテンは、ローラーを含んでおり、該ローラーを用いることにより、前記画像化システムに対して、前記皮膚部位の一部分が移動させられる、請求項３に記載の携帯型電子デバイス。
【請求項６】
前記プラテンは、光学的に透明である、請求項５に記載の携帯型電子デバイス。
【請求項７】
前記光源は、第１の光源を含んでおり、該第１の光源は、全反射条件のもとで前記プラテンを照明するように配置されている、請求項１に記載の携帯型電子デバイス。
【請求項８】
前記目的の皮膚部位を照明させる前記命令は、該皮膚部位が間接的に照明されるように、前記第１の光源を用いて前記プラテンを照明させる命令を含んでいる、請求項７に記載の携帯型電子デバイス。
【請求項９】
前記光源は、前記皮膚部位を直接的に照明するように配置された第２の光源をさらに含んでおり、
前記目的の皮膚部位を照明させる前記命令は、該第２の光源を用いて該皮膚部位を直接的に照明させる命令をさらに含んでいる、
請求項８に記載の携帯型電子デバイス。
【請求項１０】
前記光源から前記プラテンへと光を誘導するように適合されたライトパイプをさらに含んでいる、請求項７に記載の携帯型電子デバイス。
【請求項１１】
前記画像化システムは、複数のサブ画像を提供するように構成されたカラーイメージャを含んでおり、各サブ画像は、異なる照明波長または照明波長の範囲に対応しており、
前記多スペクトル画像は、該複数のサブ画像を含んでいる、
請求項１に記載の携帯型電子デバイス。
【請求項１２】
前記光源は、異なる波長の複数の光源を含んでいる、請求項１１に記載の携帯型電子デバイス。
【請求項１３】
前記非バイオメトリック機能を実行させる前記命令は、前記光源および前記画像化システムの両方を用いて、該非バイオメトリック機能を実行させる命令を含んでいる、請求項１に記載の携帯型電子デバイス。
【請求項１４】
プラテンと、
光源と、
光検出器と、
該光源および該光検出器とインターフェースするコントローラと
を備えており、該コントローラは、
個人の目的の皮膚部位が該プラテン上を移動するときに、単一の照明セッションの間に、複数の異なる光学的条件のもとで、該目的の皮膚部位を照明させる命令と、
該目的の皮膚部位が該プラテン上を移動するときに、該複数の異なる光学的条件の各々に対し、該目的の皮膚部位から散乱された後に、該光検出器によって受信された光から、該目的の皮膚部位の多スペクトル画像を導出させる命令と
を含んでいる、バイオメトリック測定システム。
【請求項１５】
前記目的の皮膚部位の多スペクトル画像を導出させる前記命令は、該目的の皮膚部位が前記プラテン上を移動するときに、該目的の皮膚部位の異なる部分に対して導出される複数の画像の合成を生成させる命令を含んでいる、請求項１４に記載のバイオメトリック測定システム。
【請求項１６】
前記プラテンは、ローラーを含んでおり、該ローラーを用いることにより、前記光検出器に対して、前記皮膚部位の一部分が移動させられる、請求項１４に記載のバイオメトリック測定システム。
【請求項１７】
前記プラテンは、光学的に透明である、請求項１６に記載のバイオメトリック測定システム。
【請求項１８】
前記光源は、第１の光源を含んでおり、該第１の光源は、全反射条件のもとで前記プラテンを照明するように配置されており、
前記目的の皮膚部位を照明させる前記命令は、該皮膚部位が間接的に照明されるように、該第１の光源を用いて該プラテンを照明させる命令を含んでいる、
請求項１４に記載のバイオメトリックシステム。
【請求項１９】
前記光源は、第２の光源をさらに含んでおり、該第２の光源は、前記皮膚部位を直接的に照明するように配置されており、
該目的の皮膚部位を照明させる前記命令は、該第２の光源を用いて該皮膚部位を直接的に照明させる命令をさらに含んでいる、
請求項１８に記載のバイオメトリック測定システム。
【請求項２０】
前記光検出器は、複数のサブ画像を提供するように構成されたカラーイメージャを含んでおり、各サブ画像は、異なる照明波長または照明波長の範囲に対応しており、
前記多スペクトル画像は、該複数のサブ画像を含んでいる、
請求項１４に記載のバイオメトリック測定システム。
【請求項２１】
前記光源は、異なる波長の複数の光源を含んでいる、請求項２０に記載のバイオメトリック測定システム。
【請求項２２】
バイオメトリック測定システムの動作を制御する方法であって、該方法は、
個人の目的の皮膚部位がプラテン上を移動するときに、単一の照明セッションの間に、複数の異なる光学的条件のもとで、該目的の皮膚部位を照明する手段の動作を制御することと、
該目的の皮膚部位が該プラテン上を移動するときに、該複数の異なる光学的条件の各々に対し、該目的の皮膚部位から散乱された光を別々に受信して、該目的の皮膚部位の多スペクトル画像を導出する手段の動作を制御することと
を包含する、方法。
【請求項２３】
前記目的の皮膚部位が前記プラテン上を移動するときに、該目的の皮膚部位の異なる部分に対して導出された複数の画像の合成を生成し、多スペクトル画像を導出する手段の動作を制御することをさらに含んでいる、請求項２２に記載の方法。
【請求項２４】
前記目的の皮膚部位は、前記プラテンによって構成されたローラー上で滑ることによって、該プラテン上で移動する、請求項２２に記載の方法。
【請求項２５】
前記目的の皮膚部位を照明する手段の動作を制御することは、全反射条件のもとで、該皮膚部位を間接的に照明するように、第１の光源を用いることにより、前記プラテンを照明する手段の動作を制御することを含んでいる、請求項２２に記載の方法。
【請求項２６】
前記目的の皮膚部位を照明する手段の動作を制御することは、第２の光源を用いて該皮膚部位を直接的に照明する手段の動作を制御することをさらに含んでいる、請求項２５に記載の方法。
【請求項２７】
前記目的の皮膚部位は、前記プラテンと接触する、請求項２２に記載の方法。
【請求項２８】
前記目的の皮膚部位は、前記プラテンと接触しない、請求項２２に記載の方法。